(57)【要約】【課題】ユーザーが録画する毎に録画時間の長さを設定することを不要にし、かつ放送番組の終了時刻まで過不足なく録画することをワンボタン操作で可能にする。【解決手段】番組を配信終了時刻と共に配信する。記憶装置は、番組を受信すると共に、受信中の番組の配信終了時刻を一時的に記憶しておく。そして、ユーザーが録画ボタンを押すだけで、記憶装置は受信中の番組を情報記録媒体へ記録開始し、受信中の番組の配信終了時刻になったときに情報記録媒体への記録を終了する。【選択図】図１
2006115157.tif 000002
【特許請求の範囲】
【請求項１】
使用者の記録命令に基づき配信信号を情報記録媒体に記録する記録装置であって、
前記配信信号及びその配信終了時刻を受信する受信手段と、
使用者の記録開始命令を受けて前記受信手段で受信中の配信信号を前記情報記録媒体へ記録開始し、記録中の配信信号の配信終了時刻になると前記情報記録媒体への配信信号の記録を終了する記録手段とを備えた記録装置。
【請求項２】
使用者の記録命令に基づき配信信号を情報記録媒体に記録する記録装置であって、
前記配信信号及びその配信終了時刻を受信する受信手段と、
使用者の記録開始命令を受けて前記受信手段で受信中の配信信号を前記情報記録媒体へ記録開始し、使用者が記録開始指示を複数回行ったとき、記録開始指示の１回目を現在配信中の配信信号としてカウントした記録開始指示を行った回数番目の配信信号の配信終了時刻になると前記情報記録媒体への配信信号の記録を終了する記録手段とを備えた記録装置。
【請求項３】
使用者の記録命令に基づき配信信号を情報記録媒体に記録する記録装置であって、
前記配信信号及びその配信開始時刻と配信終了時刻とを受信する受信手段と、
使用者の記録開始指示を受けて配信信号を前記情報記録媒体へ記録開始し、記録中の配信信号の配信終了時刻になると前記情報記録媒体への配信信号の記録を終了する記録手段とを備え、
前記記録手段は、使用者が記録開始指示を複数回行ったとき、記録開始指示の１回目を現在配信中の配信信号としてカウントした記録開始指示を行った回数番目の配信信号の配信終了時刻から、配信信号を前記情報記録媒体へ記録開始することを特徴とする記録装置。
【請求項４】
使用者の記録命令に基づき配信信号を情報記録媒体に記録する記録装置であって、
前記配信信号及びその配信開始時刻と配信終了時刻とを受信する受信手段と、
使用者の記録開始指示を受けて前記受信手段で受信中の配信信号を前記情報記録媒体へ記録開始し、記録中の配信信号の配信終了時刻になると前記情報記録媒体への配信信号の記録を終了する記録手段と、
前記配信信号を配信開始時刻から配信終了時刻まで一時的に蓄積する一時蓄積手段とを備え、
前記記録手段は、前記一時蓄積手段が蓄積している配信信号を配信開始時刻から前記情報記録媒体へ記録開始することを特徴とする記録装置。
【請求項５】
使用者の記録命令に基づき配信信号を情報記録媒体に記録する記録方法であって、
前記配信信号およびその配信終了時刻を受信するステップと、
使用者の記録開始指示を受けて受信中の配信信号を前記情報記録媒体へ記録開始するステップと、
記録中の配信信号の配信終了時刻になると前記情報記録媒体への配信信号の記録を終了するステップとを有することを特徴とする記録方法。
【請求項６】
使用者の記録命令に基づき配信信号を情報記録媒体に記録する記録方法であって、
前記配信信号およびその配信終了時刻を受信するステップと、
使用者の記録開始指示を受けて受信中の配信信号を情報記録媒体へ記録開始するステップと、
使用者が記録開始指示を複数回行ったとき、記録開始指示の１回目を現在配信中の配信信号としてカウントした記録開始指示を行った回数番目の配信信号の配信終了時刻になると情報記録媒体への配信信号の記録を終了するステップとを有することを特徴とする記録方法。
【請求項７】
使用者の記録命令に基づき配信信号を情報記録媒体に記録する記録方法であって、
前記配信信号及びその配信開始時刻と配信終了時刻とを受信するステップと、
使用者の記録開始指示を受けて配信信号を情報記録媒体へ記録開始するステップと、
記録中の配信信号の配信終了時刻になると情報記録媒体への配信信号の記録を終了するステップとを有し、
使用者が記録開始指示を複数回行ったとき、記録開始指示の１回目を現在配信中の配信信号としてカウントした記録開始指示を行った回数番目の配信信号の配信終了時刻から、配信信号を情報記録媒体へ記録開始することを特徴とする記録方法。
【請求項８】
使用者の記録命令に基づき配信信号を情報記録媒体に記録する記録方法であって、
前記配信信号及びその配信開始時刻と配信終了時刻とを受信するステップと、
使用者の記録開始指示を受けて受信中の配信信号を情報記録媒体へ記録開始するステップと、
記録中の配信信号の配信終了時刻になると情報記録媒体への配信信号の記録を終了するステップと、
配信信号を配信開始時刻から配信終了時刻まで一時的に蓄積するステップとを有し、
使用者の記録開始指示を受けると、一時的に蓄積している配信信号を配信開始時刻から情報記録媒体へ記録開始することを特徴とする記録方法。
【発明の詳細な説明】
【技術分野】
【０００１】
本発明は、簡単な操作で、放送番組を情報記録媒体へ記録する記録装置と記録方法に関するものである。
【背景技術】
【０００２】
ユーザーは、放送番組をビデオテープに録画する場合、ビデオ録画装置にて、番組の放送チャネルを選択してから、録画ボタンを押して録画を開始する。そして録画を終了するときに終了ボタンを押す。
【０００３】
非特許文献１で提案されている方法は、録画開始してから録画する時間長を設定することを可能にすることにより、無駄な録画を防止している。録画中に録画ボタンを押す度に、３０分後、６０分後、９０分後、１２０分後、時間長設定なしの選択ができる。選択した時間が経過した後に自動的に録画を終了するものである。
【０００４】
また、放送番組を録画予約する機能も開発されており、不在の時にも録画できることや、録画忘れを防止することが実現されている。録画する開始日時と終了日時と放送チャンネルの情報をビデオ録画装置に設定しておいて、ビデオ録画装置が設定された情報に従って自動的に録画するものである。
【０００５】
より便利に録画予約するために、Ｇコード予約（「Ｇコード」はジェムスター社の登録商標）やＥＰＧ（電子番組ガイド）予約といった方法がある。Ｇコード予約は、録画する開始日時と終了日時と放送チャンネルの情報が一意に決めたコードを作成しておいて、そのコードを新聞のテレビ欄などに記載し、そのコードをビデオ録画装置にユーザーが入力することによって録画予約を設定する方法である。ＥＰＧ予約は、テレビ画面に電子番組表が表示され、リモコン操作で録画したい番組を選択して予約する方法である。
【０００６】
また、録画したい番組を放送が始まってから、すなわち放送途中から録画する場合、番組をさかのぼって録画する方法も提案されている。非特許文献２で提案されている方法は、ビデオ録画装置内に一定時間分の記憶領域を確保しておいて、常時、受信している放送を一時的に記憶するものである。確保した記憶領域が一杯になった場合は、記憶領域の先頭から上書きして、常に最新の放送を記憶するものである。この一定時間は、３０分、１時間、３時間から選択して設定できる。そして録画操作を行うと、設定しておいた一定時間分さかのぼって録画保存することができる。
【非特許文献１】松下電器産業株式会社製  ＤＶＤビデオレコーダ  ＤＭＲ−Ｅ２００Ｈの取扱説明書
【非特許文献２】日本ビクター株式会社製  ＤＶＤビデオレコーダ  ＤＲ−ＭＨ５０の取扱説明書
【発明の開示】
【発明が解決しようとする課題】
【０００７】
解決しようとする問題点は、録画ボタンで時間長を設定する方法であっても、録画予約の方法であっても、ユーザーは録画を開始する操作以外に、録画する毎に録画時間長の設定操作を行わなければならない点である。Ｇコード予約やＥＰＧ予約では、ユーザーが番組表から番組を選択することによって、録画時間長の設定操作を行っている。
【０００８】
そして、ユーザーは録画する時間長を設定するには、番組の時間長を調べる手間が発生していた。Ｇコード予約やＥＰＧ予約であっても、ユーザーが番組表から番組を探すことによって、番組時間長の調査を行っている。
【０００９】
また、既に番組の放送が始まっている場合には、さかのぼって録画する方法であっても、さかのぼりは固定時間長であって、番組開始時刻ではない。このため、録画したい番組の前に放送された番組の一部も余分に録画されるので、無駄な記録領域を使用しなければならないし、録画後に番組の先頭を探す操作をしなければならなかった。
【課題を解決するための手段】
【００１０】
本発明は、記録する毎の時間長の設定操作を不要にするために、番組を配信終了時刻と共に配信して、録画ボタンのみにより記録開始し、配信終了時刻になると記録終了することを最も主要な特徴とする。
【００１１】
また、本発明は、記録したい番組の配信が始まっていても番組の先頭から記録するために、番組を配信開始時刻と共に配信して、常に番組を先頭から一時的に蓄積しておいて、録画ボタンが押された番組の先頭から記録保存することを最も主要な特徴とする。
【発明の効果】
【００１２】
本発明の情報記録媒体への記録方法は、番組を配信終了時刻と共に配信して、配信終了時刻になったとき録画を終了するため、ユーザーはワンボタン録画操作で記録開始と記録終了とを行うことができる。また、番組を配信開始時刻と共に配信して、常に番組を先頭から一時的に蓄積しておくため、ユーザーは番組が始まっていてもワンボタン録画操作で番組の先頭から記録保存することができる。
【発明を実施するための最良の形態】
【００１３】
本発明の請求項１に記載の発明は、使用者の記録命令に基づき配信信号を情報記録媒体に記録する記録装置であって、前記配信信号及びその配信終了時刻を受信する受信手段と、使用者の記録開始命令を受けて前記受信手段で受信中の配信信号を前記情報記録媒体へ記録開始し、記録中の配信信号の配信終了時刻になると前記情報記録媒体への配信信号の記録を終了する記録手段とを備えたものである。
【００１４】
請求項２に記載の発明は、使用者の記録命令に基づき配信信号を情報記録媒体に記録する記録装置であって、前記配信信号及びその配信終了時刻を受信する受信手段と、使用者の記録開始命令を受けて前記受信手段で受信中の配信信号を前記情報記録媒体へ記録開始し、使用者が記録開始指示を複数回行ったとき、記録開始指示の１回目を現在配信中の配信信号としてカウントした記録開始指示を行った回数番目の配信信号の配信終了時刻になると前記情報記録媒体への配信信号の記録を終了する記録手段とを備えたものである。
【００１５】
請求項３に記載の発明は、使用者の記録命令に基づき配信信号を情報記録媒体に記録する記録装置であって、前記配信信号及びその配信開始時刻と配信終了時刻とを受信する受信手段と、使用者の記録開始指示を受けて配信信号を前記情報記録媒体へ記録開始し、記録中の配信信号の配信終了時刻になると前記情報記録媒体への配信信号の記録を終了する記録手段とを備え、前記記録手段は、使用者が記録開始指示を複数回行ったとき、記録開始指示の１回目を現在配信中の配信信号としてカウントした記録開始指示を行った回数番目の配信信号の配信終了時刻から、配信信号を前記情報記録媒体へ記録開始するものである。
【００１６】
請求項４に記載の発明は、使用者の記録命令に基づき配信信号を情報記録媒体に記録する記録装置であって、前記配信信号及びその配信開始時刻と配信終了時刻とを受信する受信手段と、使用者の記録開始指示を受けて前記受信手段で受信中の配信信号を前記情報記録媒体へ記録開始し、記録中の配信信号の配信終了時刻になると前記情報記録媒体への配信信号の記録を終了する記録手段と、前記配信信号を配信開始時刻から配信終了時刻まで一時的に蓄積する一時蓄積手段とを備え、前記記録手段は、前記一時蓄積手段が蓄積している配信信号を配信開始時刻から前記情報記録媒体へ記録開始するものである。
【００１７】
請求項５に記載の発明は、使用者の記録命令に基づき配信信号を情報記録媒体に記録する記録方法であって、前記配信信号およびその配信終了時刻を受信するステップと、使用者の記録開始指示を受けて受信中の配信信号を前記情報記録媒体へ記録開始するステップと、記録中の配信信号の配信終了時刻になると前記情報記録媒体への配信信号の記録を終了するステップとを有するものである。
【００１８】
請求項６に記載の発明は、使用者の記録命令に基づき配信信号を情報記録媒体に記録する記録方法であって、前記配信信号およびその配信終了時刻を受信するステップと、使用者の記録開始指示を受けて受信中の配信信号を情報記録媒体へ記録開始するステップと、使用者が記録開始指示を複数回行ったとき、記録開始指示の１回目を現在配信中の配信信号としてカウントした記録開始指示を行った回数番目の配信信号の配信終了時刻になると情報記録媒体への配信信号の記録を終了するステップとを有するものである。
【００１９】
請求項７に記載の発明は、使用者の記録命令に基づき配信信号を情報記録媒体に記録する記録方法であって、前記配信信号及びその配信開始時刻と配信終了時刻とを受信するステップと、使用者の記録開始指示を受けて配信信号を情報記録媒体へ記録開始するステップと、記録中の配信信号の配信終了時刻になると情報記録媒体への配信信号の記録を終了するステップとを有し、使用者が記録開始指示を複数回行ったとき、記録開始指示の１回目を現在配信中の配信信号としてカウントした記録開始指示を行った回数番目の配信信号の配信終了時刻から、配信信号を情報記録媒体へ記録開始するものである。
【００２０】
請求項８に記載の発明は、使用者の記録命令に基づき配信信号を情報記録媒体に記録する記録方法であって、前記配信信号及びその配信開始時刻と配信終了時刻とを受信するステップと、使用者の記録開始指示を受けて受信中の配信信号を情報記録媒体へ記録開始するステップと、記録中の配信信号の配信終了時刻になると情報記録媒体への配信信号の記録を終了するステップと、配信信号を配信開始時刻から配信終了時刻まで一時的に蓄積するステップとを有し、使用者の記録開始指示を受けると、一時的に蓄積している配信信号を配信開始時刻から情報記録媒体へ記録開始するものである。
【００２１】
これにより、ユーザーがワンボタン操作で番組の記録開始と記録終了とをできることと、ユーザーは番組が始まっていても録画ボタン操作で番組の先頭から記録保存できることとを、番組の配信開始時刻と番組の配信終了時刻とをマイコンで制御するシンプルな構成で実現した。
【００２２】
（実施の形態１）
図１は、本発明の記憶装置の実施の形態１のブロック図であり、配信される放送信号１０と共に記載している。
【００２３】
図において、１は記憶装置を制御する制御手段であるマイクロコンピュータ（以下マイコンと記す）、２はユーザーがマイコン１へ録画指示をする操作部で、本実施の形態では遠隔操作装置であるリモコンを用いたが、これに限定されるものではない。３は放送信号１０を受信する受信回路で、例えばチューナ回路であるが、受信回路３への放送信号の入力経路としては、無線にて放送されている放送波を受信する構成でもよいし、ケーブルなどを接続する有線による構成でもよい。４は受信回路３で受信した放送信号１０を一時的に記憶しておく一時蓄積メモリ、５は受信回路１０で受信し一時蓄積メモリ４から読み出した放送信号１０を所定の圧縮形式で圧縮する圧縮手段であるエンコーダー、６はエンコーダー５で圧縮した圧縮データを記録する情報記録媒体で、例えばハードディスクドライブ（ＨＤＤ）やＤＶＤなどに相当するが、記録媒体の種類は特に限定しない。７は情報記録媒体６へエンコーダー５からの圧縮データを記録する記録回路、８は時刻を計測するタイマーであり、計時手段を備えている。リモコン２は、ボタンとして、少なくとも録画ボタン９を有している。放送信号１０は、映像や音声から構成される番組などのコンテンツである配信信号１１と、その配信信号１１の配信終了時刻情報１２とから構成される。
【００２４】
以上のように構成された実施の形態１の記録装置の動作について説明する。図２は、本実施例の形態の記憶装置の動作を示すフローチャートである。
【００２５】
まず、ユーザーがリモコン２の録画ボタン９を押すと、マイコン１は、受信回路３が受信している放送信号１０を一時蓄積メモリ４に一時的に記憶する（Ｓ１００）。そしてマイコン１は、放送信号１０内の配信信号１１を一時蓄積メモリ４から取り出して圧縮するようにエンコーダー５を制御する（Ｓ１０１）。これにより、エンコーダー５は一時蓄積メモリ４から取り出した配信信号を、所定の形式で圧縮する。
【００２６】
次に、マイコン１は記録回路７を制御して、エンコーダー５で圧縮された配信信号を情報記録媒体６へ記録するよう制御し、記録回路７は情報記録媒体６に配信信号を記録する（Ｓ１０２）。本実施の形態では、情報記録媒体６には映像音声信号が記録される。
【００２７】
最後にマイコン１は、記録動作中は、一時蓄積メモリ４に記憶した放送信号１０内の配信終了時刻１２と、タイマー８における現在時刻とを比較する。タイマー８における現在時刻が配信終了時刻１２に達していない時は記録動作を継続し、タイマー８における現在時刻が配信終了時刻１２に達すると、記録回路７を制御して記録動作を終了するよう制御する（Ｓ１０３）。これにより、ユーザーが現在視聴している番組を録画ボタン９を操作するだけで録画が開始され、番組の終了時間になると自動的に録画を終了させることができる。
【００２８】
なお、配信終了時刻１２は、図３の（Ａ）のように配信信号１１を、１１ａ、１１ｂ・・・のように番組や楽曲のような単位に区切って、それぞれの配信信号１１の前や後ろに、１２ａ、１２ｂ・・・に示すように連続して送信されてもよい。また、図３の（Ｂ）のように複数の配信信号１１ａ、１１ｂ・・・の配信終了時刻をまとめて、１２ａ、１２ｂ・・・に示すように配信信号１１とは別に事前に送信してもよい。
【００２９】
このような記録装置の実装形態を採用したので、ユーザーは「録画ボタンを押す」という簡単な操作だけで、番組などの配信信号を配信終了時刻まで過不足なく記録できるという効果がある。
【００３０】
（実施の形態２）
次に、以上のように構成された実施の形態１の記録装置のもう一つの動作について説明する。図４は、実施の形態１の記憶装置のもう一つの動作を示すフローチャートである。
【００３１】
ステップＳ１００からＳ１０２は、図２の同一番号のステップと同じである。ステップＳ１０２の後、マイコン１は、一時蓄積メモリ４に記憶した配信終了時刻１２が、録画ボタン９を押した回数（Ｎ回）に対応したＮ番目の配信終了時刻１２でなければ、ステップＳ１００から繰り返す。つまり、録画ボタン９をＮ回操作することで、図３に示すように並んだ複数の配信信号（番組）のうちＮ番目の配信信号の配信終了時刻で、記録動作を終了させることができるというものである。例えば、録画ボタン９を３回押した場合、録画ボタン９を押してから３個目の配信信号１１に対応した配信終了時刻１２を取得するまでは、ステップＳ１００から繰り返す（Ｓ１０４）。
【００３２】
最後にマイコン１は、Ｎ番目の配信終了時刻１２と、タイマー８の現在時刻とを比較する。タイマー８における現在時刻が配信終了時刻１２に達していない時は記録動作を継続し、タイマー８の時刻がその配信終了時刻１２に達すると、記録回路７を制御して記録動作を終了する（Ｓ１０５）。
【００３３】
このような記録装置の実装形態を採用したので、録画ボタンを複数回（Ｎ回）押すという簡単な操作だけで、複数の配信信号を配信終了時刻まで過不足なく記録できる効果がある。
【００３４】
なお、本実施の形態では、Ｎ番目の配信信号を指定するためにＮ回録画ボタン９を操作するわけであるが、そのＮ番目の配信信号がユーザー所望の配信信号であるかどうかを確認するために、例えばテレビジョン受像機などの表示手段に配信信号の情報（配信信号の内容やＮ番号）を表示させるようにしてもよい。
【００３５】
（実施の形態３）
図５は、本発明の記憶装置の実施の形態３のブロック図であり、配信される放送信号４０と共に記載している。なお、実施の形態１及び２と同一の構成要素には同一番号を付与して詳細説明を省略する。
【００３６】
放送信号４０は、配信信号１１と、その配信信号１１の配信終了時刻１２とに加えて、その配信信号１１の配信開始時刻１３とから構成される。そして、３０は記憶装置を制御する制御手段であるマイコン、３１は放送信号４０を受信する受信回路で、例えばチューナ回路で構成される。３２は受信回路３１で受信した放送信号４０を一時的に記憶しておく一時蓄積メモリである。
【００３７】
以上のように構成された実施の形態２の記録装置の動作について説明する。図６は、実施の形態２の記憶装置の動作を示すフローチャートである。
【００３８】
まず、ユーザーがリモコン２の録画ボタン９を押すと、マイコン３０は、受信回路３１が受信している放送信号４０内の配信開始時刻１３を一時蓄積メモリ３２に一時的に記憶する（Ｓ２００）。例えばユーザーはＮ回録画ボタン９を操作するものとする。
【００３９】
そしてマイコン３０は、一時蓄積メモリ３２に記憶した配信開始時刻１３が、録画ボタン９を押した回数であるＮ番目の配信開始時刻１３でなければ、ステップＳ２００から繰り返す。例えば、録画ボタン９を３回押した場合、録画ボタン９を押してから３個目の配信信号１１に対応した配信開始時刻１３を取得するまでは、ステップＳ２００から繰り返す（Ｓ２０１）。
【００４０】
さらにマイコン１は、Ｎ番目の配信開始時刻１３と、タイマー８の現在時刻とを比較し、タイマー８の現在時刻がその配信開始時刻１２に達するまで待つ。タイマー８の時刻が配信開始時刻１２に達するとステップＳ２０３へ進む（Ｓ２０２）。
【００４１】
タイマー８の時刻が配信開始時刻１２に達すると、マイコン３０は、受信回路３１が受信している放送信号４０内のＮ番目の配信信号１１とその配信終了時刻１２とを一時蓄積メモリ３２に一時的に記憶する（Ｓ２０３）。
【００４２】
そしてマイコン３０は、放送信号４０内のＮ番目の配信信号１１を一時蓄積メモリ３２から取り出して圧縮するようにエンコーダー５を制御する（Ｓ２０４）。これによりエンコーダー５は一時蓄積メモリ３２から取り出した配信信号を所定の形式で圧縮する。
【００４３】
続いてマイコン３０は記録回路７を制御して、エンコーダー５で圧縮された配信信号を、情報記録媒体６へ記録するよう制御する（Ｓ２０５）。
【００４４】
最後にマイコン３０は、一時蓄積メモリ３２に記憶した配信終了時刻１２と、タイマー８の現在時刻とを比較し、タイマー８における現在時刻が配信終了時刻１２に達していない時は記録動作を継続し、タイマー８の時刻が配信終了時刻１２に達すると、記録回路７を制御して記録動作を終了する（Ｓ２０６）。
【００４５】
このような記録装置の実装形態を採用したので、録画ボタン９を複数回押すという簡単な操作だけで、複数の配信信号を配信終了時刻まで過不足なく記録できる効果がある。つまり、ユーザー所望の配信信号（番組）が、時系列に並んだ複数の配信信号の内、３番目にある場合は、録画ボタン９を３回操作するだけで、３番目の配信信号（番組）を開始から終了まで過不足無く録画することができる。
【００４６】
なお、本実施の形態では、Ｎ番目の配信信号を指定するためにＮ回録画ボタン９を操作するわけであるが、そのＮ番目の配信信号がユーザー所望の配信信号であるかどうかを確認するために、例えばテレビジョン受像機などの表示手段に配信信号の情報（配信信号の内容やＮ番号）を表示させるようにしてもよい。
【００４７】
（実施の形態４）
次に、以上のように構成された実施の形態２の記録装置のもう一つの動作について説明する。図７は、実施の形態３の記憶装置のもう一つの動作を示すフローチャートである。
【００４８】
まず、受信回路３１が、放送信号４０内の配信信号１１とその配信開始時刻１３と配信終了時刻１２とを受信する（Ｓ３００）。そしてマイコン３０が、受信回路３１で受信した配信信号１１を配信開始時刻１３から一時蓄積メモリ３２に一時的に記憶する（Ｓ３０１）。ユーザーがリモコン２の録画ボタン９を押すまで、それぞれの配信信号１１を配信開始時刻１３から一時的に一時蓄積メモリ３２に記憶することを繰り返す（Ｓ３０２）。なお、一時蓄積メモリ３２の容量には限りがあるので、一時蓄積メモリ３２が一杯になれば、古い情報から削除あるいは上書きするよう動作する。これにより、順次新しい情報を記憶させていくことができる。なお、配信信号がチャンネル毎に配信されている場合は、受信回路３１が現在受信しているチャンネルの配信信号を、順次一時蓄積メモリ３２に記録する。また、一時蓄積メモリ３２の容量は、順次配信信号を記憶しないといけないため、比較的大きなメモリを用いる必要があるが、例えば１時間分の番組を記録可能な容量を有していればよいものとする。
【００４９】
ユーザーがリモコン２の録画ボタン９を押すと、マイコン３０は、配信開始時刻１３から一時的に記憶しておいた配信信号１１を一時蓄積メモリ３２から取り出して圧縮するようにエンコーダー５を制御する（Ｓ３０３）。これにより、エンコーダー５は一時蓄積メモリ３２から取り出した配信信号を、所定の形式で圧縮する。
【００５０】
続いてマイコン３０は記録回路７を制御して、エンコーダー５で圧縮された配信信号を、情報記録媒体６へ記録するよう制御する（Ｓ３０４）。これにより、情報記録媒体６へ配信信号を記録させることができる。
【００５１】
最後にマイコン３０は、一時蓄積メモリ３２に記憶した配信終了時刻１２と、タイマー８の時刻とを比較し、タイマー８における現在時刻が配信終了時刻１２に達していない時は記録動作を継続し、タイマー８の時刻が配信終了時刻１２に達すると、記録回路７を制御して記録を終了する（Ｓ３０５）。
【００５２】
このような記録装置の実装形態を採用したので、録画ボタンをＮ回押すという簡単な操作だけで、配信が始まってから録画ボタンを押しても、配信信号を配信開始時刻から配信終了時刻まで過不足なく記録できる効果がある。
【００５３】
なお、本実施の形態では、Ｎ番目の配信信号を指定するためにＮ回録画ボタン９を操作するわけであるが、そのＮ番目の配信信号がユーザー所望の配信信号であるかどうかを確認するために、例えばテレビジョン受像機などの表示手段に配信信号の情報（配信信号の内容やＮ番号）を表示させるようにしてもよい。
【産業上の利用可能性】
【００５４】
簡単な操作で、記録したい配信信号を過不足なく記録できることを実現可能にしたことによって、従来は機器操作が複雑だったために録画装置を操作できなかった人へ、録画装置の用途を適用できる。よって、少なくとも配信される放送を受信可能で、受信した配信信号を記録できるような機器であれば、本発明は有用である。
【図面の簡単な説明】
【００５５】
【図１】本発明の実施の形態１及び２に於ける記録装置のブロック図
【図２】本発明の実施の形態１に於ける記録装置の動作を説明するフローチャート
【図３】本発明に実施の形態に於ける放送信号の構成を示す模式図
【図４】本発明の実施の形態２に於ける記録装置の動作を説明するフローチャート
【図５】本発明の実施の形態３及び４に於ける記録装置のブロック図
【図６】本発明の実施の形態３に於ける記録装置の動作を説明するフローチャート
【図７】本発明の実施の形態４に於ける記録装置の動作を説明するフローチャート
【符号の説明】
【００５６】
１    マイコン
２    リモコン
３    受信回路
４    一時蓄積メモリ
５    エンコーダー
６    情報記録媒体
７    記録回路
８    タイマー
９    録画ボタン
１０    放送信号
１１    配信信号
１２    配信終了時刻
１３    配信開始時刻
３０    マイコン
３１    受信回路
３２    一時蓄積メモリ
４０    放送信号
【図１】
2006115157.tif 000003
【図２】
2006115157.tif 000004
【図３】
2006115157.tif 000005
【図４】
2006115157.tif 000006
【図５】
2006115157.tif 000007
【図６】
2006115157.tif 000008
【図７】
2006115157.tif 000009